(57)【特許請求の範囲】
【請求項１】
空気供給源と連結する供給側継手と、測定ヘッドを有する測定部と連結する排出側継手とを供えた本体部に、上流側を下側に下流側を上側にして立設状態にテーパ管を設け、このテーパ管の上流側を供給側空気路を介して前記供給側継手と連通し、下流側を排出側空気路を介して前記排出側継手と連通し、このテーパ管内を流通する空気の流量に応じてこのテーパ管内を上下浮動自在にフロートを設け、このフロートの高さ位置を視認することで測定値を得る流量式空気マイクロメータにおいて、前記テーパ管より径大にして天部が閉塞した外管をこのテーパ管に被嵌状態にして本体部に立設してこの外管とテーパ管間に空隙部を形成し、この空隙部の上流側にして上部を前記テーパ管の下流側である上部と連通し、この空隙部の下流側にして下部を本体部に設けた排出側継手連通路を介して排出側継手と連通し、前記空気供給源から供給側空気路を介してテーパ管内に供給された空気がこのテーパ管内を流通して下流側の空隙部及び排出側継手連通路を介して排出側継手に流通するように構成することでこの空隙部及び排出側継手連通路を前記排出側空気路として構成し、前記テーパ管を前記本体部に上方開口状態に設けたテーパ管差し込み孔に上方から差し込み配設すると共に、このテーパ管を上方から押さえ込む押圧手段によりこのテーパ管差し込み孔に差し込み押圧固定して、このテーパ管を前記本体部に立設状態に設けた構成とし、天部が開口状態の前記外管の下部を、前記本体部に上方開口状態に設けた外管差し込み孔に上方から差し込み配設すると共に、この外管を外管差し込み孔に差し込み状態に固定する外管固定手段によりこの外管差し込み孔に差し込み固定して、この外管を前記本体部に立設状態に設けた構成とし、この外管の天部を閉塞する前記天部材をこの外管の天部に上方から取り付ける際のこの天部材の下動若しくは締付下動によって前記テーパ管を上方から押さえ込むように前記押圧手段を構成したことを特徴とする流量式空気マイクロメータ。
【請求項２】
前記テーパ管としてガラス管を採用し、このガラス管であるテーパ管を前記本体部のテーパ管差込孔に差し込み立設したうえで押圧手段により上方から押さえ込むことで、このテーパ管をこのテーパ管差し込み孔に差し込み押圧固定したことを特徴とする請求項１記載の流量式空気マイクロメータ。
【請求項３】
前記押圧手段は、通気キャップを介して前記テーパ管を前記天部材の下動若しくは締付下動により上方から押圧する構成とし、この通気キャップは、前記テーパ管の下流側にして上部と押圧当接すると共に、このテーパ管内とこのテーパ管と外管間の空隙部とを連通する通空路を有する形状に構成したことを特徴とする請求項２記載の流量式空気マイクロメータ。
【請求項４】
前記外管の下部外周面に雄ネジ溝を形成し、この雄ネジ溝が螺合する雌ネジ溝を前記外管差し込み孔の内周面に形成してこの外管をこの外管差し込み孔に差し込み螺着固定するように前記外管固定手段を構成したことを特徴とする請求項１〜３のいずれか１項に記載の流量式空気マイクロメータ。
【請求項５】
前記外管より径大な防護筒体12を前記外管に被嵌状態にして前記本体に立設してこの防護筒体によって前記外管への外力の付加を防護するように構成すると共に、前記テーパ管内のフロートを視認し得るように、この防護筒体の外周面の少なくとも一部を透明部材で構成した、或いは、この防護筒体の外周面に窓孔を設けた構成としたことを特徴とする請求項１〜４のいずれか１項に記載の流量式空気マイクロメータ。
【発明の詳細な説明】
【技術分野】
【０００１】
本発明は、空気供給源から供給された空気をテーパ管を介して測定ヘッドを有する測定部へと排出して測定ヘッドから被測定部（被測定面）に向けて空気を排出すると共に、その際の前記テーパ管内のフロートの高さ位置によって測定値を得る流量式空気マイクロメータに関するものである。
【背景技術】
【０００２】
従来から、背圧式や流量式などの様々なタイプの空気マイクロメータが提案されており、特に流量式空気マイクロメータは最も普及しているタイプの空気マイクロメータとして広く一般的に実用に供されている。
【０００３】
この流量式空気マイクロメータは、例えば、レギュレータを備えると共に上流側を下側に下流側を上側にして上方程径大となるテーパ管を立設状態に設けた本体部に、空気供給源と、測定ヘッドを有する測定部とを連結し、この空気供給源から本体部に供給した空気をレギュレータで制圧してテーパ管に送り、このテーパ管内を経由（流通）した空気を前記測定部に送り測定ヘッドの空気排出部から外部に排出するように構成したものであって、前記テーパ管内には、このテーパ管内を流通する空気の流量に応じて上下浮動自在なフロートを設けており、測定時においては、空気供給源から供給された空気が排出される前記測定ヘッドの空気流出部を測定したい測定面に近接させ、この測定ヘッドの空気排出部と前記測定面との離間距離の微小な変化量を、この測定ヘッドの空気流出部から排出される空気量に変換して前記フロートに拡大指示させ、このフロートの高さ位置から得た測定値に基づいて比較測定を行う比較測定器である。
【０００４】
従って、流量式空気マイクロメータにおいては、本体部に供給された空気を、テーパ管を経由して、この本体部に連結された前記測定部の測定ヘッドから排出するために、このテーパ管の下流側にして上部と、前記本体部に連結された測定部とを連通する排出用空気路が必須の構成であるが、従来の流量式空気マイクロメータにおいては、この排出側空気路として、テーパ管の上部からこのテーパ管に沿って空気路としてのパイプやチューブなどを本体部に向けて配管する構成の為、このテーパ管の上部からこのテーパ管に沿って配管されるパイプやチューブの分、装置自体が大型化し、また、このパイプやチューブなどとテーパ管とを連結する連結箇所などにおいて、決して空気漏れが生じ得ないように緻密な配管構造としなければならずそれだけ設計・製造が厄介で生産コスト高となるなどの欠点を有した。
【発明の開示】
【発明が解決しようとする課題】
【０００５】
本発明は、従来から提案されている流量式空気マイクロメータについて更なる研究開発を進め、本体部に立設したテーパ管に被嵌状態に外管を設けて二重管構造とし、このテーパ管と外管間に形成した空隙部を空気路として利用する構成とすることで、これまでにおいては必須であったテーパ管の上部（下流側）からこのテーパ管に沿って配管される空気路としてのパイプやチューブなどが一切不要で、それだけ装置自体を小型化でき、またテーパ管に天部が閉塞した外管を被せることで空気漏れの生じ得ない密閉構造を簡易に達成し得る構成で、それだけ設計・製造を容易にすることができ生産コスト安となるうえに、そのデザインもこれまでに無くスリムで極めて斬新なイメージを与えることができるなど、従来に無い極めて画期的な流量式空気マイクロメータを提供することを課題とする。
【課題を解決するための手段】
【０００６】
添付図面を参照して本発明の要旨を説明する。
【０００７】
空気供給源１と連結する供給側継手２と、測定ヘッド３ａを有する測定部３と連結する排出側継手４とを供えた本体部Ａに、上流側を下側に下流側を上側にして立設状態にテーパ管５を設け、このテーパ管５の上流側を供給側空気路６を介して前記供給側継手２と連通し、下流側を排出側空気路７を介して前記排出側継手４と連通し、このテーパ管５内を流通する空気の流量に応じてこのテーパ管５内を上下浮動自在にフロート14を設け、このフロート14の高さ位置を視認することで測定値を得る流量式空気マイクロメータにおいて、前記テーパ管５より径大にして天部が閉塞した外管８をこのテーパ管５に被嵌状態にして本体部Ａに立設してこの外管８とテーパ管５間に空隙部ｓを形成し、この空隙部ｓの上流側にして上部を前記テーパ管５の下流側である上部と連通し、この空隙部ｓの下流側にして下部を本体部Ａに設けた排出側継手連通路９を介して排出側継手４と連通し、前記空気供給源１から供給側空気路６を介してテーパ管５内に供給された空気がこのテーパ管５内を流通して下流側の空隙部ｓ及び排出側継手連通路９を介して排出側継手４に流通するように構成することでこの空隙部ｓ及び排出側継手連通路９を前記排出側空気路７として構成し、前記テーパ管５を前記本体部Ａに上方開口状態に設けたテーパ管差し込み孔10に上方から差し込み配設すると共に、このテーパ管５を上方から押さえ込む押圧手段Ｔ１によりこのテーパ管差し込み孔10に差し込み押圧固定して、このテーパ管５を前記本体部Ａに立設状態に設けた構成とし、天部が開口状態の前記外管８の下部を、前記本体部Ａに上方開口状態に設けた外管差し込み孔11に上方から差し込み配設すると共に、この外管８を外管差し込み孔11に差し込み状態に固定する外管固定手段Ｔ２によりこの外管差し込み孔11に差し込み固定して、この外管８を前記本体部Ａに立設状態に設けた構成とし、この外管８の天部を閉塞する前記天部材18をこの外管８の天部に上方から取り付ける際のこの天部材18の下動若しくは締付下動によって前記テーパ管５を上方から押さえ込むように前記押圧手段Ｔ１を構成したことを特徴とする流量式空気マイクロメータに係るものである。
【０００８】
また、前記テーパ管５としてガラス管を採用し、このガラス管であるテーパ管５を前記本体部Ａのテーパ管差込孔10に差し込み立設したうえで押圧手段Ｔ１により上方から押さえ込むことで、このテーパ管５をこのテーパ管差し込み孔10に差し込み押圧固定したことを特徴とする請求項１記載の流量式空気マイクロメータに係るものである。
【０００９】
また、前記押圧手段Ｔ１は、通気キャップ15を介して前記テーパ管５を前記天部材の下動若しくは締付下動により上方から押圧する構成とし、この通気キャップ15は、前記テーパ管５の下流側にして上部と押圧当接すると共に、このテーパ管５内とこのテーパ管５と外管８間の空隙部ｓとを連通する通空路15ａを有する形状に構成したことを特徴とする請求項２記載の流量式空気マイクロメータに係るものである。
【００１０】
また、前記外管８の下部外周面に雄ネジ溝16を形成し、この雄ネジ溝16が螺合する雌ネジ溝17を前記外管差し込み孔11の内周面に形成してこの外管８をこの外管差し込み孔11に差し込み螺着固定するように前記外管固定手段Ｔ２を構成したことを特徴とする請求項１〜３のいずれか１項に記載の流量式空気マイクロメータに係るものである。
【００１１】
また、前記外管８より径大な防護筒体12を前記外管８に被嵌状態にして前記本体Ａに立設してこの防護筒体12によって前記外管８への外力の付加を防護するように構成すると共に、前記テーパ管５内のフロート14を視認し得るように、この防護筒体12の外周面の少なくとも一部を透明部材で構成した、或いは、この防護筒体12の外周面に窓孔13を設けた構成としたことを特徴とする請求項１〜４のいずれか１項に記載の流量式空気マイクロメータに係るものである。
【発明の効果】
【００１２】
本発明は上述のように構成したから、これまでにおいては、立設状態に設けたテーパ管の下流側にして上部からこのテーパ管に沿って排出側空気路としてのパイプやチューブが配管される構成であったため、このテーパ管に沿って配管されるパイプやチューブの分、装置自体が大型化してしまったところを、本発明においては、本体部に立設状態に設けたテーパ管に被嵌状態にして外管を設けて二重管構造とし、このテーパ管と外管間に形成した空隙部を空気路（前記排出側空気路の一部）として利用する構成としたから、テーパ管の上部からこのテーパ管に沿ってパイプやチューブなどを配管する必要が一切無く、それだけ装置の小型化を確実に図ることが可能である。
【００１３】
また、これまでにおいては、テーパ管と、このテーパ管に沿って配管されるパイプやチューブとの連結箇所などにおいて空気漏れが生じ得ないような細密な配管構造が必須であった為、それだけ設計・製造が厄介で生産コスト高となるなどの欠点を有したが、本発明においては、テーパ管を、天部が閉塞した外管によって被嵌してしまう構成である為、空気漏れが生じ得ない密閉構造とすることも極めて簡易に達成できる。
【００１４】
また、本体部に立設状態に設けたテーパ管に沿うようにパイプやチューブなどを配管する必要がなく、単に本体部から上方に突出状態に二重管構造の筒状体（テーパ管と外管）とが立設しただけのすっきりとしたスリムな外形状に設計することも容易に可能で、これまでに無いスリムで斬新なイメージを与えることができる画期的なデザインも簡易に設計実現可能である。
【００１５】
よって、本発明は、従来から提案されている流量式空気マイクロメータに必須のテーパ管の上部からこのテーパ管に沿うようにしてパイプやチューブなどを配管する必要がない構成としたから、それだけ装置を小型化できるうえに生産性やコスト面にも秀れ、そのデザインも従来にない斬新なものとすることが可能で、従来にない画期的で実用性の高い流量式空気マイクロメータとなる。
【００１６】
また、このテーパ管は、単に前記テーパ管差し込み孔に差し込んで、押圧手段により上方から押さえ込むことでこのテーパ管差し込み孔に差し込み押圧固定でき、例えば、請求項２，３記載の発明のようにこのテーパ管がガラス管であっても、このガラス管をテーパ管差し込み孔に固定する際にこのガラス管を破損させる心配がなく良好に取り付け固定作業ができ、よって、テーパ管として一般的なガラス管を採用することができるなど、この点においても一層実用性に秀れた流量式空気マイクロメータとなる。
【００１７】
また、本発明においては、外管の下部が外管差し込み孔内に差し込まれた状態でこのテーパ管を本体部に固定するため取付安定性に秀れる。
【００１８】
また、外管の天部を利用してテーパ管を上方から押さえ込む構成としたから、本体部に外管を固定することと、テーパ管を上方から押さえ込んで本体部に押圧固定することの双方の作業を同時に達成でき、構成も簡易化でき生産性に秀れることとなるなど、一層製造が容易にして生産性に秀れコスト安にして一層実用性に秀れた流量式空気マイクロメータとなる。
【００１９】
また、請求項４記載の発明においては、外管を確実に前記外管差し込み孔に差し込み固定できることは勿論、この外管を螺動操作によって前記外管差し込み孔に簡単に取り付け，取り外しでき、また、この外管を取り外したうえで、単にテーパ管差し込み孔に押さえ込み固定されていたテーパ管も簡単にこのテーパ管差し込み孔から取り外し、メンテナンス作業を行ったりでき、よって、一層製造が容易で生産性に秀れるうえにメンテナンス性にも秀れた流量式空気マイクロメータとなる。
【００２０】
また、請求項５記載の発明においては、従来に無いスリムな外形状で斬新なイメージを与えられる秀れたデザイン性を有するだけでなく、強度面においても秀れた一層実用性に秀れた流量式空気マイクロメータとなる。
【発明を実施するための最良の形態】
【００２１】
好適と考える本発明の実施形態（発明をどのように実施するか）を、図面に基づいて本発明の作用を示して簡単に説明する。
【００２２】
本体部Ａの供給側継手２に連結した空気供給源１からこの本体部Ａに空気が供給されると、この供給された空気は、本体部Ａの供給側空気路６を介して、この本体部Ａに上流側を下側に下流側を上側にして立設状態に設けたテーパ管５内に供給される。
【００２３】
このテーパ管５内に上流側から供給された空気は、このテーパ管５の下流側と連通する排出側空気路７を介して、前記本体部Ａの排出側継手４に連結した測定部３へと流通することとなる。
【００２４】
ここで、本発明においては、前記テーパ管５より径大にして天部が閉塞した外管８を、このテーパ管５に被嵌状態にして前記本体部Ａに立設してこのテーパ管５と外管８間に空隙部ｓを形成しており、この空隙部ｓの上流側にして上部を前記テーパ管５の下流側である上部と連通し、この空隙部ｓの下流側にして下部を本体部Ａに設けた排出側継手連通路９を介して排出側継手４に連通するように構成して、この空隙部ｓ及び排出側継手連通路９を前記排出側空気路７として構成している。
【００２５】
従って、テーパ管５内に上流側から供給された空気は、このテーパ管５の下流側と連通する排出側空気路７としての前記空隙部ｓ及び排出側継手連通路９を流通して、前記本体部Ａの排出側継手４に連結した測定部３へと流通することとなり、この測定部３の測定ヘッド３ａからこの空気が外部に排出されることとなる。
【００２６】
また、この際の前記テーパ管５内に上下浮動自在に設けたフロート14の高さ位置を視認して測定値を得ることとなる。
【００２７】
即ち、これまでにおいては、立設状態に設けたテーパ管５の下流側にして上部からこのテーパ管５に沿って排出側空気路７としてのパイプやチューブが配管される構成であったため、このテーパ管５に沿って配管されるパイプやチューブの分、装置自体が大型化してしまうだけでなく、このテーパ管５とこのパイプやチューブとを連結する箇所などで空気漏れが生じ得ないようにな緻密な配管構造にとする必要がある為、それだけ設計・製造が厄介で生産コスト高となるなどの欠点を有したが、本発明においては、本体部Ａに立設状態に設けたテーパ管５に被嵌状態にして外管８を設けて二重管構造として、このテーパ管８と外管８間に形成した空隙部ｓを空気路（前記排出側空気路７の一部）として利用する構成としたから、テーパ管５の上部からこのテーパ管５に沿ってパイプやチューブなどを配管する必要が一切無く、それだけ装置自体の小型化を図り得、しかも、天部が閉塞した外管８をテーパ管５に被嵌する構成である為、このテーパ管５と空気路としての前記空隙部ｓと間に空気漏れなどが一切生じ得ない密閉構造とすることも極めて簡易に達成でき、それだけ設計・製造が容易にして生産性に秀れ、更に、本体部Ａから上方に二重管構造の筒状体が突出立設しているすっきりとしたスリムな外形状に設計することも容易に可能で、これまでに無いスリムで斬新なイメージを与えることができる画期的なデザインも簡易に設計実現可能にしてデザイン性に秀れるなど、極めて画期的で実用性に秀れた流量式空気マイクロメータとなる。
【００２８】
また、前記テーパ管５は、前記本体部Ａに上方開口状態に設けたテーパ管差し込み孔10にこのテーパ管５を上方から押さえ込む押圧手段Ｔ１によりこのテーパ管５をこのテーパ管差し込み孔10に差し込み押圧固定することで、このテーパ管５を前記本体部Ａに立設状態に設けた構成とした場合には、テーパ管５の下部がテーパ管差し込み孔10内に差し込まれた状態でこのテーパ管５を本体部Ａに固定するため、取付安定性に秀れることとなる。
【００２９】
しかも、このテーパ管５を単に差し込み孔10に差し込んで立てた状態で上方から押さえこんで差し込み押圧固定する構成の為、テーパ管５として最も一般的であるガラス管を採用でき、この点においても実用性に秀れることとなる（ガラス製品は、アクリル製などの透明樹脂性品に比して変形や腐食の恐れが無く形状安定性に秀れる。）。
【００３０】
即ち、テーパ管５としてガラス管を採用した場合、横方向の外力が加わるとガラス管は簡単に割れてしまう為に、例えばテーパ管５を前記テーパ管差し込み孔10に強固に圧入固定する取付構造とすることはできない（圧入時に破損の恐れがある。）。また、ガラス管にはネジ溝を切ることが困難な為、テーパ管５の外周面にネジ溝を切り、テーパ管差し込み孔10の内周面にネジ溝を切り、テーパ管を差し込み螺入固定する取付構造とすることもできない。この点、本発明においては、テーパ管５としてガラス管を採用しても、このガラス管を孔に差し込んで上方から押圧するだけなのでガラス管を破損する恐れもなく良好にテーパ管５としてガラス管を採用できる。
【００３１】
また、例えば、前記押圧手段Ｔ１は、通気キャップ15を介して前記テーパ管５を上方から押圧する構成とし、この通気キャップ15は、前記テーパ管５の下流側にして上部と押圧当接すると共に、このテーパ管５内とこのテーパ管５と外管８間の空隙部ｓとを連通する通空路15ａを有する形状に構成した場合には、通気キャップ15の通空路15ａを介してテーパ管５と空隙部ｓを良好に連通状態にできることは勿論、この通気キャップ15の上部を様々な形状に適宜設定することで、一層実用性に秀れた構成とすることができる。
【００３２】
即ち、例えば前記押圧手段Ｔ１を、締付回転しながら締付下動する押圧部材によってテーパ管５を上方から押さえ込む構成とした場合には、前記締付回転する押圧部材によりテーパ管５まで回転してしまい例えばテーパ管５に設けた目盛りの位置がズレてしまったり、捻れ力によりテーパ管５が破損する恐れがあるなどの問題が生ずるが、このテーパ管５の上部に通気キャップ15を配してこの通気キャップ15の上部を先細り形状とすれば、前記締付回転する押圧部材と通気キャップ15との接触面を非常に小さくでき、通気キャップ15やテーパ管５が回転してしまうことを阻止できるなど、テーパ管５を通気キャップ15を介して上方から押さえ込む構成としたことで一層秀れた実用価値を有することとなる。
【００３３】
また、前記外管８を前記本体部Ａに上方開口状態に設けた外管差し込み孔11に上方から差し込み配設すると共に、このテーパ管５を外管差し込み孔11に差し込み状態に固定する外管固定手段Ｔ２によりこの外管差し込み孔11に差し込み固定して、この外管８を前記本体部Ａに立設状態に設けた構成とし、この外管８の天部を閉塞する天部材18により前記テーパ管５を上部から押さえ込むように前記押圧手段Ｔ１を構成したから、この外管８の下部が外管差し込み孔11に差し込まれた状態で前記押圧手段Ｔ１によりこのテーパ管５を本体部Ａに固定するため、取付安定性に秀れることとなる。
【００３４】
しかも、この外管８の天部を閉塞する天部材18を利用して、前記テーパ管５を上部から押さえ込むように押圧手段Ｔ１を構成した為、本体部Ａに外管８を固定することと、テーパ管５を上方から押さえ込んで本体部Ａに押圧固定することの双方の作業を同時に達成できるうえに構成も簡易化でき一層生産性に秀れることとなる。
【００３５】
即ち、前記外管８は、天部が開口状態の外管８の下部を前記外管固定手段Ｔ２により前記外管差し込み孔11に差し込み固定するように前記外管固定手段Ｔ２を構成し、この外管８の下部を前記外管差し込み孔11に差し込み固定したうえで、この外管８の天部を閉塞する天部材18をこの外管８の天部に上方から取り付けることで、天部が閉塞した外管８を本体部Ａに設ける構成とし、この外管８の天部に前記天部材18を取り付ける際の天部材18の下動若しくは締付下動によって前記テーパ管５を上方から押圧するように前記押圧手段Ｔ１を構成したため、仮に予め天部材18が取り付けられた外管８を前記外管差し込み孔11に差し込み固定しながらこの外管８の天部材18によりテーパ管５を上方から押さえ込み作業も行う場合、長い外管８を支えながらテーパ管５の押さえ込み作業を行う為作業性が悪く効率が悪いが、外管８の下部が外管差し込み孔11に差し込み固定された状態でこの外管８の上部に天部材18を取り付ける作業と前記テーパ管５の押さえ込み作業とを同時に行えるため、作業性良く効率的に作業を進展できることとなる。
【００３６】
また、例えば、前記外管８の下部外周面に雄ネジ溝16を形成し、この雄ネジ溝16が螺合する雌ネジ溝17を前記外管差し込み孔11の内周面に形成してこの外管８をこの外管差し込み孔11に差し込み螺着固定するように前記外管固定手段Ｔ２を構成した場合には、外管８を確実に前記外管差し込み孔11に差し込み固定できることは勿論、この外管８を螺動操作によって前記外管差し込み孔11に簡単に取り付け，取り外しでき、また、この外管８を取り外したうえで、単にテーパ管差し込み孔10に押さえ込み固定されていたテーパ管５も簡単にこのテーパ管差し込み孔10から取り外すことができることとなり、例えば、メンテナンス作業などを極めて簡単に行えることとなる。
【００３７】
また、例えば、前記外管８より径大な防護筒体12を前記外管８に被嵌状態にして前記本体Ａに立設してこの防護筒体12によって前記外管８への外力の付加を防護するように構成すると共に、前記テーパ管５内のフロート14を視認し得るように、この防護筒体12の外周面の少なくとも一部を透明部材で構成した、或いは、この防護筒体12の外周面に窓孔13を設けた構成とした場合には、従来に無いスリムな外形状で斬新なイメージを与えることができる秀れたデザイン性を有するだけでなく、強度面においても秀れた構成となる。
【実施例】
【００３８】
本発明の具体的な実施例について図面に基づいて説明する。
【００３９】
本実施例は、空気供給源１と連結する供給側継手２と、測定ヘッド３ａを有する測定部３と連結する排出側継手４とを供えた本体部Ａに、上流側を下側に下流側を上側にして立設状態にテーパ管５を設け、このテーパ管５の上流側を供給側空気路６を介して前記供給側継手２と連通し、下流側を排出側空気路７を介して前記排出側継手４と連通し、このテーパ管５内を流通する空気の流量に応じてこのテーパ管５内を上下浮動自在にフロート14を設け、このフロート14の高さ位置を視認することで測定値を得る流量式空気マイクロメータにおいて、前記テーパ管５より径大にして天部が閉塞した外管８をこのテーパ管５に被嵌状態にして本体部Ａに立設してこの外管８とテーパ管５間に空隙部ｓを形成し、この空隙部ｓの上流側にして上部を前記テーパ管５の下流側である上部と連通し、この空隙部ｓの下流側にして下部を本体部Ａに設けた排出側継手連通路９を介して排出側継手４と連通し、前記空気供給源１から供給側空気路６を介してテーパ管５内に供給された空気がこのテーパ管５内を流通して下流側の空隙部ｓ及び排出側継手連通路９を介して排出側継手４に流通するように構成することでこの空隙部ｓ及び排出側継手連通路９を前記排出側空気路７として構成したものである。
【００４０】
テーパ管５は、図５に図示したように、上方程径大となるテーパ状のガラス管の周面に測定用の目盛り部５ａを印刷して設けたものである。
【００４１】
このテーパ管５内に上下浮動自在に設けるフロート14は、図３に図示したように、一般的な流量式空気マイクロメータに採用される下方程先細った形状に構成している。
【００４２】
外管８は、前記テーパ管５より径大なストレート形状のガラス管から成る上部及び下部が開口した無底円筒状の外管本体８ａの天部に、天部材18を取り付けることによってこの外管８を構成している。
【００４３】
この外管８の外管本体８ａの上部には、後述の天部材18の内周面の螺着用雌ネジ溝21を螺合する螺着用雄ネジ溝22を設けている。
【００４４】
具体的には、外管本体８ａに上方から被嵌し得る円筒状の天部材螺着用金具19をこの外管本体８ａの上部に被嵌配設して接着固定し、この円筒状の天部材螺着用金具19の上部外周面に前記螺着用雄ネジ溝22を形成した構成である。
【００４５】
この天部材18は、図４に図示したように、下部が開口した円筒状の蓋体形状にして、この天部材18の内周面には、前記外管８の外管本体８ａの螺着用雄ネジ溝22に螺合する螺着用雌ネジ溝21を形成し、この天部材18の内面上面部18ａの形状は、上方程小径となる円錐状の凹溝形状に形成している。
【００４６】
従って、外管８は前記外管本体８ａの雄ネジ溝22に、前記天部材18の雌ネジ溝21を螺合してこの外管本体８ａに天部材18を螺着固定して成る構成である。
【００４７】
また、この外管８の下部外周面には、後述の本体部Ａの外管差し込み孔11の内周面に形成した雌ネジ溝17に螺合する雄ネジ溝16を設けている。
【００４８】
具体的には、図４に図示したように、外管本体８ａに下方から被嵌し得る円筒状の差込螺着用金具20をこの外管本体８ａの下部に被嵌配設して接着固定し、この円筒状の差込螺着用金具20の下部外周面に前記雄ネジ溝16を形成した構成である。
【００４９】
尚、この外管８の外管本体８ａをアクリル製管体で構成して、このアクリル製管体の上部及び下部に直接ネジ溝を形成する構成としても良いが、本実施例のようにこの外管本体８ａを、ガラス管の上部及び下部にネジ溝を有する金具（天部材螺着用金具19及び差込螺着用金具20）を接着固定した構成とすることで、外管８が変形したりせず形状安定性に秀れそれだけ測定精度の信頼性を向上できる。
【００５０】
また、図５及び図６に図示したように、この外管８の外周面に被嵌している二体の円環状体８ａは、外管８内に設けた前記テーパ管５の目盛り部５ａの前目盛り中、測定時に有効な目盛りの範囲（有効指示範囲）の上限及び下限を示す限界指標８ｂである。
【００５１】
また、本実施例では、図５及び図６に図示したように、この外管８より径大な防護筒体12を前記外管８に被嵌状態にして前記本体Ａに立設している。
【００５２】
この防護筒体12は、図５に図示したように、上部及び下部が開口状態の円筒体の上部内周面に雌ネジ溝23ａを形成し、この雌ネジ溝23に螺合する雄ネジ溝23ｂを有するキャップ12ａを開口上部に螺着固定して成る構成である。
【００５３】
また、この防護筒体12の下部外周面には、後述の本体部Ａの防護筒体差し込み孔25の内周面に形成した雌ネジ溝25ａと螺合する雄ネジ溝24を形成している。
【００５４】
また、この防護筒体12の外周面に、この防護筒体12の高さ方向に長窓状の窓孔13を設けている。
【００５５】
従って、この防護筒体12によって前記外管８への外力の付加を防護できると共に、この防護筒体12の前記窓孔13から、この防護筒体12内の前記テーパ管５内のフロート14を視認できる。
【００５６】
尚、この防護筒体12の周面の一部を透明部材で構成してこの防護筒体12内の前記テーパ管５内のフロート14を視認できるように構成しても良く、また、テーパ管５に設けた目盛り部５ａを良く視認できるように導光用の窓孔をこの防護筒体12に形成しても良い。
【００５７】
本体部Ａは、図２，図３及び図６に図示したように、底部に平板状の台座26を有し、この台座26より上部が側面視略三角形状を呈する中空のカバー体Ａ１の下部一端側（図２中左側）に前記空気供給源１を連結するための供給側継手２を設け、反対の他端側（図２中、右側）に前記測定部３を連結するための排出側継手４を設けた構成である。
【００５８】
また、図２に図示したように、この本体部Ａのカバー体Ａ１内にして前記供給側継手２の下流側には、本体部Ａに連結した空気供給源１から供給された空気を制圧するレギュレータ27を前記供給側空気路６の第一供給路６ａを介して連通状態に設けている。
【００５９】
また、このレギュレータ27の下流側には、第二供給路６ｂを介して倍率調整絞り機構Ｂを連通状態に設けている。
【００６０】
また、この倍率調整絞り機構Ｂの下流側は、図３に図示したように、第三供給路６ｃを介して、上部開口状態のテーパ管差し込み孔10の下部と連通している。
【００６１】
この倍率調整絞り機構Ｂは、一般的な流量式空気マイクロメータの倍率調整絞りと同様に、レギュレータから供給された空気のうちの一部を、前記テーパ管５へと供給せずに排出側空気路７へと送れるように構成したものであって、この倍率調整絞り機構Ｂの調整絞りｂを螺動操作することで先端側の進退移動子ｂ２を螺動進退操作でき、この倍率調整絞り機構Ｂの進退移動子ｂ２を螺動後退させることで生ずる隙間から空気を排出側空気路７へ逃がすものである。
【００６２】
また、この本体部Ａには上部開口状態に、前記テーパ管５を差し込み配設する為のテーパ管差し込み孔10，外管８を差し込み配設する為の外管差し込み孔11及び、防護筒体12を差し込み配設する為の防護筒体差し込み孔25を夫々、略同軸上に形成している。
【００６３】
前記テーパ管差し込み孔５は、前記テーパ管５を差し込み可能な内径を有する形状に形成しており、このテーパ管差し込み孔５の下端から所定高さの位置より上部の内径を径大に形成して段状に前記外管差し込み孔11を形成している。また、この外管差し込み孔11の内周面には、前記外管８の下部外周面に形成した雄ネジ溝16が螺合する雌ネジ溝17を形成した構成である。
【００６４】
また、この外管差し込み孔11より径大な前記防護筒体差し込み孔25をこの外管差し込み孔11の上方に形成すると共に、この防護筒体差し込み孔25の内周面には前記防護筒体12の下部外周面に形成した雄ネジ溝24が螺合する雌ネジ溝25ａを形成した構成である。
【００６５】
この本体部Ａのカバー体Ａ１の前記テーパ差し込み孔10の下部周面は、前記排出側空気路７を構成する排出側継手連通路９に連通している。
【００６６】
この排出側継手連通路９は、図２に図示したように、前記テーパ差し込み孔10の下部周面を、第一排出路９ａを介してゼロ点調整絞り機構Ｃと連通し、このゼロ点調整絞り機構Ｃの下流側を第二排出路９ｂを介して前記本体部Ａの排出側継手４へと連通している。
【００６７】
このゼロ点調整絞り機構Ｃは、一般的な流量式空気マイクロメータのゼロ点調整絞りと同様に、テーパ管５内を流通して本体部Ａに連結した測定部３へと送られる空気のうちの一部を、前記測定部３へと送らずに装置外部に排気し得るように構成したものであって、このゼロ点調整絞り機構Ｃの調整絞りｃ１を螺動操作することで先端側の進退移動子ｃ２を螺動進退操作でき、このゼロ点調整絞り機構Ｂの進退移動子ｃ２を螺動後退させることで生ずる隙間から排気路ｃ３に空気を逃がしてこの排気路ｃ３から空気を排出し得るものである。
【００６８】
尚、図２に図示したように、本体部Ａのカバー体Ａ１には、前記倍率調整絞り機構Ｂの調整絞りｂ１及び、ゼロ点調整絞り機構Ｃの調整絞りｃ１を螺合状態に横設すると共に、供給側空気路６及び排出側空気路７の一部（第三供給路６ａや第一排出路９ａなど）を有する形状の空気路構成金具体Ａ２を、カバー体Ａ１の上部に取付ボルト28により螺着固定した構成である。尚、前記テーパ差し込み孔10及び外管差し込み孔11も、図３に図示したように、この本体部Ａの空気路構成金具体Ａ２の上部に形成している。
【００６９】
以上のように構成した本体部Ａは、図５に図示したように、このフロート14を内設したテーパ管５を、前記本体部Ａに上方開口状態に設けたテーパ管差し込み孔10に上方から差し込み配設すると共にこのテーパ管５を上方から押さえ込む押圧手段Ｔ１によりこのテーパ管５をこのテーパ管差し込み孔10に差し込み押圧固定することで、このテーパ管５を前記本体部Ａに立設状態に設けている。この際、テーパ管５の下部開口縁と、テーパ管差し込み孔10の底部との間に弾性部材29（本実施例では、ゴム製のＯリング）を配設して、図２及び図３に図示したように、このテーパ管５の下部開口縁と、テーパ管差し込み孔10の底部間に隙間が生じないように（空気漏れが生じないように）構成している。
【００７０】
このテーパ管５を上方から押さえ込む押圧手段Ｔ１は、外管８の天部を閉塞する天部材18により前記テーパ管５を上部から押さえ込むように構成している。
【００７１】
この外管８は、図２及び図３に図示したように、前記本体部Ａに上方開口状態に設けた外管差し込み孔11に上方から差し込み配設すると共にこのテーパ管５を外管差し込み孔11に差し込み状態に固定する外管固定手段Ｔ２により、即ち、前記外管８の下部外周面に形成した雄ネジ溝16を、前記外管差し込み孔11の内周面に形成した雌ネジ溝17に螺合してこの外管８をこの外管差し込み孔11に差し込み螺着固定することで、この外管８を前記本体部Ａに立設状態に設けている。この際、外管８の下部外周部と、外管差し込み孔11の上部内周面との弾性部材30（本実施例では、ゴム製のＯリング）を配設して、図２及び図３に図示したように、この外管８の雄ネジ溝16と外管差し込み孔11の雌ネジ溝17との螺合箇所の上部に弾圧当接状態にこの賛成部材30を配設することで空気漏れが生じないように構成している。
【００７２】
従って、この外管８の下部を前記外管差し込み孔11に差し込み固定したうえで、この外管８を天部を閉塞する天部材18の螺着用雌ネジ溝21をこの外管８の上部の螺着用雄ネジ溝22に螺合することで、天部が閉塞した構成の外管８を本体部Ａに設ける作業が達成される。尚、図４及び図５に図示したように、この天部材18の下部と前記外管８の天部材螺着用金具19との間に弾性部材31（ゴム製のＯリング）を介存配設することでこの外管８と天部材18との螺合箇所から空気漏れが生じないによう構成している。
【００７３】
また、図４に図示したように、この外管８の天部に前記天部材18を取り付ける際の天部材18の下動若しくは締付下動（本実施例においては、締付下動）によって前記テーパ管５を上方から押圧するように前記押圧手段Ｔ１を構成している。
【００７４】
従って、先ず、外管８の下部を本体部Ａに固定してこの外管８が安定した状態で、天部材18の螺着作業とこの天部材18によるテーパ管５の押さえ込み固定作業とを行うことができるから、それだけ外管８が不意に動いたりせずに作業性良く効率的にテーパ管５の押さえ込み固定作業を進展できる。
【００７５】
また、この押圧手段Ｔ１は、具体的には、図４に図示したように、通気キャップ15を介して前記テーパ管５を上方から押圧する構成としている。
【００７６】
この通気キャップ15は、前記テーパ管５の下流側にして上部と押圧当接すると共に、このテーパ管５内とこのテーパ管５と外管８間の空隙部ｓとを連通する通空路15ａを有する形状に構成している。尚、この通空路15ａは、この通気キャップ15の底部中央部から上方に向けて形成されると共に所定高さ位置で水平方向に向けて十字（四方）に形成したものである。
【００７７】
また、図１及び図４に図示したように、この通気キャップ15の内面上部から、この通気キャップ15の通空路15ａを挿通状態にして前記テーパ管５内に向けて下方突出状態（吊り下げ状態）にフロート受け突部材33を設けている。このフロート受け突部材33は、適宜な可撓性を有する樹脂成形品であって、この通気キャップ15を前記テーパ管５の上部に配設した際に、このフロート受け突部材33の下端がテーパ管５内にやや挿入配設されて吊り下げ状態に配設され、このテーパ管５内を上動したフロート14がこの通気キャップ15のフロート受け突部材33に当接するように構成している。
【００７８】
従って、このテーパ管５内を勢い良くフロート14が上動しても、このフロート14は前記フロート受け突部材33に当接するため、前記通気キャップ15と勢い良く衝突することがなく、フロート14や通気キャップ15の損傷や、フロート14が通気キャップ15に張り付いてしまうなどの問題が生じ得ない。
【００７９】
この通気キャップ15の上面形状は、図４に図示したように、上方程先細った円錐状に形成している。更に、この通気キャップ15の上面部を上方から押さえ込むことで前記テーパ管５を押さえ込む外管８の天部材18の内面上面部18ａも、上述の通り、上方程先細った円錐状の凹溝形状に形成し、下側がやや径小にしてこの通気キャップ15の下側を前記テーパ管５内に上方から嵌挿し得る形状に形成している。
【００８０】
即ち、図１に図示したように、通気キャップ15の上面部と、前記外管８の天部材18の内面上面部18ａとの接触面が極めて小さい範囲に限定されるように構成している。
【００８１】
従って、天部材18を締付回転して外管８の上部に螺入すると共に通気キャップ15を上方から押さえ込む際に、この天部材18の締付回転により通気キャップ15まで回転してしまうことがない（双方の接触面が小さく、上方からの押さえ込み力は良好に発揮されるものの、締付回転による回転力は殆ど伝達されない）から、この通気キャップ15によって上方から押圧するテーパ管５も、当然、前記天部材18の締付回転に伴って回転してしまうといったことがなく、よって、このテーパ管５の周面に印刷した目盛り部５ａを所定の向きに簡易且つ確実に設定できる（得に、テーパ管５は下端部は前記弾性部材29に弾圧当接しているため、このテーパ管５が回転してしまうことは確実に阻止されている。）。
【００８２】
しかも、図１に図示したように、この外管８の天部材18の内面上面部18ａの傾斜面に通気キャップ15の上端部が傾斜案内されて、この天部材18の内面上面部18ａの上端に通気キャップ15の上端部が位置決めされることとなるから、この外管８に対してテーパ管５を前記通気キャップ15を介して位置決めでき、よって、空気路として使用するテーパ管５と外管８間の空隙部ｓの内容積を一定に保持でき測定信頼性に秀れるものである。
【００８３】
このように、テーパ管５をテーパ管差し込み孔10に差し込んで前記通気キャップ15を介して外管８の天部材18により上方から押さえ込んでこのテーパ管差し込み孔10に押圧固定すると共に、このテーパ管５に被嵌状態にして外管８を外管差し込み孔11に螺合固定することで、このテーパ管５と外管８間に空隙部ｓを形成するとと共に、テーパ管５の下流側にして上部は、前記通気キャップ15の通空路15ａを介して前記空隙部ｓと連通することとなる。また、図１に図示したように、この空隙部ｓの下端部はテーパ管差し込み孔10の下部周面から連通する排出側継手連通路９の第一排出路９ａへと連通した構成である。
【００８４】
また、このテーパ管５及び外管８に被嵌状態にして保護筒体12を本体部Ａの保護筒体差し込み孔25に螺合固定して、この保護筒体12に設けた窓孔13から前記テーパ管５の目盛り部５ａ及びフロート14が視認できるように構成している。
【００８５】
尚、図中、符号32は、前記テーパ管５内を下降するフロート14をこのテーパ管５の下部で受ける緩衝用の緩衝バネ体32である。
【００８６】
また、以上のように構成した本体部Ａの供給側継ぎ手２に連結する空気供給源１は、この種の流量式の空気マイクロメータに使用される一般的な構成のものを採用している。
【００８７】
また、この本体部Ａの排出側継手４に連結する測定部３は、この種の流量式の空気マイクロメータに使用される一般的な構成のものを採用しており、図６に図示したように、空気を排出する測定ヘッド３ａが設けられており、この測定ヘッド３ａの先端部には、測定したい測定対象物に応じて種々の形状・種類を有するマスタゲージ３ｂを着脱自在に設けており、例えば、このマスタゲージ３ｂの外周面に設けた空気排出部から空気を排出するものである。
【００８８】
本実施例は上述のように構成したから、一般的な流量式の空気マイクロメータと同様に、本体部Ａに、空気供給源１及び測定ヘッド３ａを有する測定部３を連結し、倍率調整絞り機構Ｂとゼロ点調整絞り機構Ｃを合わせる作業を行った後、前記空気供給源１からこの本体部Ａに空気を供給して、この本体部Ａに立設したテーパ管５内のフロート14の高さ位置から得られる測定値に基づき比較測定を行うことができる（尚、測定方法は慣例方と同様のため詳述は省く。）。
【００８９】
この際、前記空気供給源１から本体部Ａに空気を供給すると、この空気は本体部Ａに設けた前記レギュレータ27により制圧されると共に供給側空気路６を介してテーパ管５に上流側（下側）から供給され、このテーパ管５内を流通した空気は、このテーパ管５の下流側（上側）より前記通気キャップ15の通空路15ａを介してこのテーパ管５と外管８間の空隙部ｓへと流通し、この空隙部ｓを流下した空気は、この空隙部ｓの下流側にして下部から排出側継手連通路９を介して前記本体部Ａに連結した測定部３へと流通すると共にこの測定部３の測定ヘッド３ａから外部へ排出されることとなる。
【００９０】
よって、本実施例は、本体部Ａに立設状態に設けたテーパ管５に被嵌状態にして外管８を設けて二重管構造として、このテーパ管８と外管８間に形成した空隙部ｓを空気路（前記排出側空気路７の一部）として利用する構成としたから、これまでにおいては、立設状態に設けたテーパ管５の下流側にして上部からこのテーパ管５に沿って排出側空気路７としてのパイプやチューブが配管される構成であったため、このテーパ管５に沿って配管されるパイプやチューブの分、装置自体が大型化してしまうところを、本実施例ではテーパ管５の上部からこのテーパ管５に沿ってパイプやチューブなどを配管する必要が一切無くそれだけ装置自体の小型化を確実に図り得る。
【００９１】
しかも、天部が閉塞した外管８をテーパ管５に被嵌する構成である為、このテーパ管５と空気路としての前記空隙部ｓと間に空気漏れなどが一切生じ得ない密閉構造とすることも極めて簡易に達成でき、それだけ設計・製造が容易にして生産性に秀れる。
【００９２】
更に、本体部Ａから上方に二重管構造の筒状体が突出立設しているすっきりとしたスリムな外形状に設計することも容易に可能で、これまでに無いスリムで斬新なイメージを与えることができる画期的なデザインも簡易に設計実現可能にしてデザイン性に秀れるなど、極めて画期的で実用性に秀れた流量式空気マイクロメータとなる。
【００９３】
また、テーパ管５は、単に本体部Ａのテーパ管差し込み孔10に差し込んで、この本体部Ａの外管差し込み孔11に螺合固定した外管８の上部に天部材18を螺合しつつこの天部材18によって通気キャップ15を介してテーパ管５を上方から押さえ込むだけの極めて簡単な作業で、本体部Ａに外管８を設けことと、本体部Ａにテーパ管５を適切な向き（目盛り部５ａを適切な向き）にして固定することの双方の作業を簡易且つ確実に達成できる極めて効率良く組み立て製造可能な生産性に秀れた構成で、量産化も簡易に達成し得る極めて実用性に秀れた流量式空気マイクロメータとなる。
【００９４】
また、本実施例は、外管８に被嵌状態にして、この外管８よりやや径大な防護筒体12を本体部Ａに立設した構成とした為、本実施例のスリムで斬新なイメージを与えることができる画期的なデザイン性を何ら損ねることなく、且つ強度面においても秀れた構成とすることができ、よって、例えば、本体部Ａが横転したりしても外管８やテーパ管５を破損してしまう心配が無く、また、例えば本実施例品を持ち上げる際に、本体部Ａを持たずに、この本体部Ａから突出するこの防護筒体12を持って持ち上げたりもできるなど、一層実用性に秀れた流量式空気マイクロメータとなる。
【００９５】
尚、本発明は、本実施例に限られるものではなく、各構成要件の具体的構成は適宜設計し得るものである。
【図面の簡単な説明】
【００９６】
【図１】本実施例に係る流量式空気マイクロメータの説明正断面図である。
【図２】本実施例に係る流量式空気マイクロメータの説明正断面図である。
【図３】本実施例に係る流量式空気マイクロメータの説明側断面図である。
【図４】本実施例に係る流量式空気マイクロメータの外管８及び天部材18を示す説明斜視断面図である。
【図５】本実施例に係る流量式空気マイクロメータの分解斜視図である。
【図６】本実施例に係る流量式空気マイクロメータの概略斜視図である。
【符号の説明】
【００９７】
１  空気供給源
２  供給側継手
３  測定部
３ａ  測定ヘッド
４  排出側継手
５  テーパ管
６  供給側空気路
７  排出側空気路
８  外管
９  排出側継手連通路
10  テーパ管差し込み孔
11  外管差し込み孔
12  防護筒体
13  窓孔
14  フロート
15  通気キャップ
15ａ  通空路
16  雄ネジ溝
17  雌ネジ溝
18  天部材
Ａ  本体部
Ｔ１  押圧手段
Ｔ２  外管固定手段
ｓ  空隙部
【図１】
0004673718.tif 000002
【図２】
0004673718.tif 000003
【図３】
0004673718.tif 000004
【図４】
0004673718.tif 000005
【図５】
0004673718.tif 000006
【図６】
0004673718.tif 000007